(57)【要約】      （修正有）【課題】極めて簡易かつ安価に、人形に新たな固定機能を実現する、人形組立体及び支持台を提供する。【解決手段】基台に吸着シートを貼り付け、基台の中心に突起を設けた支持台１０３を形成する。この支持台の突起に対し、少なくとも２方向の固定方向の嵌合穴１０４を形成した人形１０２を、嵌合穴にて固定させる。人形１０２を垂直方向の面を有する壁面等に容易に固定することが可能になる。また、基台を可撓性樹脂で形成し、周縁にタブを設けることで、被吸着対象から容易に剥離させることも可能である。【選択図】図１
2020130914.tif 000002
【特許請求の範囲】
【請求項１】
人形と、前記人形を支持する支持台よりなる人形組立体であり、
前記支持台は、
平面部と、
前記平面部の表側の中心に設けられた円柱状の突起と、
前記平面部の裏側に貼り付けられ、平坦かつ平滑な被吸着対象に吸着する吸着シートと、
前記平面部の周辺に、前記被吸着対象と所定の隙間を有して設けられているタブと
を具備し、
前記人形は、
前記支持台の前記突起が嵌合する第一嵌合穴と、前記第一嵌合穴と所定の角度をなし、前記支持台の前記突起が嵌合する第二嵌合穴とが形成されている人形本体と
よりなる、人形組立体。
【請求項２】
前記平面部と前記吸着シートは可撓性を有する材料で形成されており、
前記吸着シートは可撓性を有する粘着剤によって前記平面部の裏側に貼り付けられている、
請求項１に記載の人形組立体。
【請求項３】
突起が嵌合する嵌合穴が形成されている人形本体とよりなる人形を支持する支持台であり、
前記支持台は、
平面部と、
前記平面部の表側の中心に設けられた円柱状の突起と、
前記平面部の裏側に貼り付けられ、平坦かつ平滑な被吸着対象に吸着する吸着シートと、
前記平面部の周辺に、前記被吸着対象と所定の隙間を有して設けられているタブと
を具備する、支持台。
【請求項４】
前記平面部と前記吸着シートは可撓性を有する材料で形成されており、
前記吸着シートは可撓性を有する粘着剤によって前記平面部の裏側に貼り付けられている、
請求項３に記載の支持台。
【発明の詳細な説明】
【技術分野】
【０００１】
本発明は、人形と支持台よりなる人形組立体及び支持台に関する。
【背景技術】
【０００２】
近年、我が国の特徴的な文化である漫画及びアニメーションの市場が拡大する傾向にある。この市場の拡大に呼応して、フィギュアと呼ばれる、漫画やアニメーションのキャラクターを忠実に造形した人形の市場も拡大する傾向にある。時に、人気のあるキャラクターのフィギュアは高額で取引されることもある。
【０００３】
特許文献１には、本願発明の先行技術の一例として、フィギュア用スタンドに関する技術が開示されている。
非特許文献１及び非特許文献２には、本願発明において利用する技術である、多数の微細孔による吸着効果を有するシートに関する情報が開示されている。
【先行技術文献】
【特許文献】
【０００４】
【特許文献１】特開２０１２−２３２０８９号公報
【非特許文献】
【０００５】
【非特許文献１】「EverSTIK Nanosuction」Cocoon Worldwide,LLC、２０１８年１２月７日閲覧＜http://www.everstik.com/index.html＞
【非特許文献２】「Fund this: NanoHold suctions your smartphone to nearly any surface」CNET、２０１８年１２月７日閲覧＜https://www.cnet.com/news/fund-this-nanohold-suctions-your-smartphone-to-nearly-any-surface/＞
【発明の概要】
【発明が解決しようとする課題】
【０００６】
フィギュアの収集家（コレクター）は、何十体ものフィギュアを収集し、自室に飾る者も多く見受けられる。そのようなフィギュアは殆どの場合、直立するための台座で固定される。しかし、多くの場合、我が国の平均的な国民の家屋における自室のスペースは凡そ四畳半から広くても十二畳程度と限られる。収集するフィギュアの数が多くなると、大量のフィギュアが自室のスペースを圧迫することとなる。
【０００７】
本発明はかかる課題を解決し、極めて簡易かつ安価に、人形に新たな固定機能を実現する、人形組立体及び支持台を提供することを目的とする。
【課題を解決するための手段】
【０００８】
上記課題を解決するために、本発明の人形組立体は、人形と、前記人形を支持する支持台よりなる。
支持台は、平面部と、平面部の表側の中心に設けられた円柱状の突起と、平面部の周辺に、平面部と所定の角度を有して設けられているタブと平面部の裏側に貼り付けられ、平坦かつ平滑な被吸着対象に吸着する吸着シートと、を具備する。
人形は、支持台の突起が嵌合する第一嵌合穴と、第一嵌合穴と所定の角度をなし、支持台の突起が嵌合する第二嵌合穴とが形成されている人形本体とよりなる。
【発明の効果】
【０００９】
本発明によれば、極めて簡易かつ安価に、人形に新たな固定機能を実現する、人形組立体及び支持台提供することができる。
上記した以外の課題、構成及び効果は、以下の実施形態の説明により明らかにされる。
【図面の簡単な説明】
【００１０】
【図１】本発明の実施形態の例である、人形組立体の第一の使用状態を説明する正面図及び背面図である。
【図２】人形組立体の第二の使用状態を説明する上面図及び側面図である。
【図３】人形に２個の支持台を装着した状態を示す斜視図である。
【図４】人形の背面図と下面図である。
【図５】支持台の上面図、側面図、上面斜視図及び下面斜視図である。
【図６】支持台の側面図、側面一部拡大図及び支持台の屈曲状態を示す側面図である。
【図７】本発明の変形例に係る支持台の上面図、側面図、上面斜視図及び下面斜視図である。
【発明を実施するための形態】
【００１１】
［人形組立体１０１及び人形１０２：外観］
図１は、本発明の実施形態の例である、人形組立体１０１の第一の使用状態を説明する正面図と背面図である。
図２は、人形組立体１０１の第二の使用状態を説明する上面図と側面図である。
図３は、人形１０２に２個の支持台を装着した状態を示す斜視図である。
図４は、人形１０２の背面図と下面図である。
【００１２】
図１、図２、図３に示すように、人形組立体１０１は、人形１０２と支持台１０３よりなる。図１では、支持台１０３は平坦かつ平滑な被吸着対象１０６に吸着している。
人形１０２は例えばポリ塩化ビニル（以下「ＰＶＣ」と略）やＡＢＳ樹脂等の、適度な弾力性を有する合成樹脂を材料として、一体成型等で形成されている。そして図４（ａ）及び（ｂ）に示すように、人形１０２の足に相当する箇所に、支持台１０３の突起５０２（図５にて後述）が嵌合する第一嵌合穴１０４が形成されている。これに加え、人形１０２の背中に相当する箇所に、支持台１０３の突起５０２が嵌合する第二嵌合穴１０５が形成されている。
【００１３】
支持台１０３の表側の中心に形成されている円柱状の突起５０２の高さは２．５ｍｍ程度であり、突起５０２の太さは直径２．１ｍｍ程度である。
これに対し、支持台１０３の突起５０２が嵌合する、人形１０２の第一嵌合穴１０４及び第二嵌合穴１０５は、深さが２．７ｍｍ乃至３ｍｍ程度、内径は２．０ｍｍ程度である。
すなわち、第一嵌合穴１０４及び第二嵌合穴１０５は、突起５０２が挿入される際に弾性変形を生じる。
【００１４】
支持台１０３の突起５０２に対し、人形１０２の第一嵌合穴１０４または第二嵌合穴１０５を嵌め込み、力を込めて押し付けると、人形１０２は支持台１０３に固定される。
なお、これ以降、第一嵌合穴１０４と第二嵌合穴１０５を区別しない場合は、「嵌合穴」と称する。
人形１０２の嵌合穴に支持台１０３の突起５０２が挿入された上で、人形１０２から突起５０２に圧力が加わると、突起５０２は嵌合穴の内壁を押し広げる。そして、突起５０２は嵌合穴と摩擦力によって係止される。
【００１５】
第一嵌合穴１０４と第二嵌合穴１０５は、概ね直交する角度が形成されている。このため、支持台１０３の突起５０２に人形１０２の第一嵌合穴１０４を嵌合させると、図１に示すように、あたかも人形１０２が支持台１０３の上に立っているように見える。
そして、支持台１０３の突起５０２に人形１０２の第二嵌合穴１０５を嵌合させると、図２に示すように、あたかも人形１０２が支持台１０３の上に寝ているように見える。
したがって、図３に示すように、人形１０２の第一嵌合穴１０４を支持台１０３の突起５０２に嵌合させた状態における、支持台１０３の基台と平行な面と、人形１０２の第二嵌合穴１０５を支持台１０３の突起５０２に嵌合させた状態における、支持台１０３の基台と平行な面とは、概ね直交する位置関係である。
すなわち、人形１０２は、支持台の突起が嵌合する第一嵌合穴１０４と、第一嵌合穴１０４と所定の角度をなし、支持台の突起が嵌合する第二嵌合穴１０５とが形成されている人形本体１０２ａよりなる。
【００１６】
なお、図３では、人形１０２に２個の支持台１０３を嵌め込んでいる。このような使用形態を想定していないが、支持台１０３を通じて第一嵌合穴１０４と第二嵌合穴１０５の位置関係を説明するためのものである。人形１０２の飾り付けは、図３に示すような使用形態も可能である。
【００１７】
［支持台１０３：外観と構造］
図５は、支持台１０３の上面図、側面図、上面斜視図及び下面斜視図である。
図６は、支持台１０３の側面図、側面一部拡大図及び支持台１０３の屈曲状態を示す側面図である。
【００１８】
支持台１０３は例えばＰＶＣ等の、適度な弾力性を有する合成樹脂を材料として、一体成型等で形成されている。
図５（ａ）、（ｃ）及び（ｄ）に示すように、支持台１０３は、平面部５０１と、平面部５０１の表側の中心に設けられた円柱状の突起５０２と、平面部５０１の裏側に貼り付けられ、平坦かつ平滑な被吸着対象に吸着する吸着シート５０３と、平面部５０１の周辺に設けられたタブ５０４よりなる。
図５（ａ）及び（ｃ）に示すように、支持台１０３の表面側における平面部５０１の中心には、人形１０２の第一嵌合穴１０４または第二嵌合穴１０５が嵌合する突起５０２が平面部５０１に対して垂直方向に形成されている。
【００１９】
支持台１０３の裏面側における平面部５０１には、全面に吸着シート５０３が貼り付けられている。この吸着シート５０３は、非特許文献１及び非特許文献２に示されるように、表面に微細な孔が形成されている。そして、テーブルやガラス窓、壁面等の、平坦かつ平滑な被吸着対象に押し付けるだけで、表面に形成されている微細な孔から空気が抜けて、吸着シート５０３は被吸着対象に強固に密着する。
吸着シート５０３自体はゴムマグネットシートに似た柔軟性を有するシートであり、単体では何ら物品を支持する機能を持たない。そこで、ＰＶＣ等で基台を形成し、吸着シート５０３を基台に貼り付けることで、吸着シート５０３に物品を支持する機能を持たせることが可能になる。
【００２０】
吸着シート５０３は強力な吸着力を有する。このため、ガラス窓や壁面等の、地面に対して垂直な被吸着対象に対しても、極めて安定した吸着性能を発揮する。したがって、支持台１０３をガラス窓や壁面等の地面に対して垂直な被吸着対象に吸着させた上で、図２に示すように支持台１０３の突起５０２を人形１０２の第二嵌合穴１０５に嵌合させると、人形１０２が壁面に貼り付いたような状態で固定される。すなわち、ガラス窓や壁面等の、通常のフィギュアでは飾り付けが困難な箇所に、人形１０２を飾り付けることが可能になる。
【００２１】
図５（ａ）、（ｂ）、（ｃ）及び（ｄ）に示すように、平面部５０１の周縁には、支持台１０３を被吸着対象から剥がすためのタブ５０４が形成されている。図５（ｂ）及び（ｄ）に示すように、タブ５０４は、ユーザが指で摘みやすくするために、平面部５０１に対しておよそ１５°〜３０°程度の角度が形成されている。すなわち、タブ５０４に傾斜が形成されることで、タブ５０４と被吸着対象との間にユーザの指が潜り込める形状となっている。
なお、本発明の実施形態に係る支持台１０３は、２個のタブ５０４を設けて、動物の耳を模している。
【００２２】
図６（ａ）に示す支持台１０３は、拡大すると図６（ｂ）のように、基台と吸着シート５０３の間に両面テープが貼り付いている。基台と吸着シート５０３、そしてそれらを互いに貼り付ける両面テープ等の粘着剤６０１の全てが可撓性を有することで、図６（ｃ）に示すように、ユーザがタブ５０４を持って曲げると容易に剥がすことが可能になる。
但し、吸着シート５０３はタブ５０４の屈曲部分と接触してはいけない。屈曲部分から空気が入り込み、被吸着対象との吸着状態が失われ、容易に剥がれてしまうからである。
また、図６（ｃ）に示すように、タブ５０４を持ち上げて平面部５０１を屈曲させるためには、タブ５０４と平面部５０１との接合部分は、所定の剛性を有する必要がある。
【００２３】
粘着剤６０１は両面テープ等にて使用されるアクリル系粘着剤、ウレタン系粘着剤、シリコーン系粘着剤等の他、クロロプレンゴム系接着剤等の、可撓性を有する接着剤が使用可能である。逆に、一部のエポキシ樹脂系接着剤のような、硬化した後は可撓性がない材質の接着剤は好ましくない。同じエポキシ樹脂系接着剤であっても、硬化後も可撓性を有する材質のものが好ましい。
【００２４】
以上説明した本発明の実施形態は、以下に示す変形例が実施可能である。
（１）突起５０２と嵌合穴との係止は、上記実施形態で説明した、圧入に伴い生じる摩擦力によるものの他、周知の三脚の雲台に使用される１／４インチネジや３／８インチネジ等を採用してもよい。特に、人形１０２が大型の場合には有効であると思われる。
（２）また、本発明の実施形態に係る人形組立体１０１は、人形１０２と支持台１０３を１組の突起５０２と嵌合穴による１点支持にて固定しているが、人形１０２に２個以上、同一方向の嵌合穴を設けて、複数個の支持台１０３で支持する構成にしてもよい。
（３）圧入による突起５０２と嵌合穴との係止は、嵌合穴の周辺部分が弾性変形可能な樹脂で形成されていればよい。したがって、嵌合穴の周辺部分のみＰＶＣ等の樹脂を採用し、それ以外の人形１０２本体部分は別の材料を採用してもよい。
【００２５】
（４）図５及び図６にて説明した支持台１０３のタブ５０４は、前述のように、タブ５０４と被吸着対象との間にユーザの指が潜り込めるようにするために、平面部５０１に対しておよそ１５°〜３０°程度の角度が形成されていた。しかし、タブ５０４と被吸着対象との間にユーザの指が潜り込める隙間が形成されていれば、必ずしもタブ５０４が平面部５０１に対して傾斜していなくともよい。
図７は、本発明の変形例に係る支持台７０１の上面図、側面図、上面斜視図及び下面斜視図である。
図７の、図５と同一の部品は同一の符号を付して説明を省略する。
【００２６】
図７に示す支持台７０１の、図５に示した支持台１０３との相違点は、タブ７０２が平面部５０１と平行でありながら、接合部７０２ａによって平面部５０１から所定の高さを形成しているために、タブ７０２と被吸着対象との間にユーザの指が潜り込める隙間が形成できていることである。勿論、図６（ｃ）にて説明したように、接合部７０２ａも肉厚に形成されることで、タブ７０２を持ち上げて平面部５０１を屈曲させるために必要な剛性を備えている。
すなわちタブは、平面部５０１の周辺に設けられるものであり、かつ、被吸着対象との間にユーザの指が潜り込める程度の、所定の隙間を有して設けられていればよい。
【００２７】
支持台１０３は必ずしも第一嵌合穴１０４及び第二嵌合穴１０５の両方を有する人形１０２でなければ固定できない訳ではない。人形が第一嵌合穴１０４または第二嵌合穴１０５のいずれか一方しか設けられていない、すなわち突起が嵌合する嵌合穴が形成されている人形本体とよりなる人形であっても、支持台１０３は人形を支持する機能を当然に有する。
【００２８】
本発明の実施形態においては、人形組立体１０１を開示した。
基台に吸着シート５０３を貼り付け、基台の中心に突起５０２を設けた支持台１０３を形成する。この支持台１０３の突起５０２に対し、少なくとも２方向の固定方向の嵌合穴を形成した人形１０２を、嵌合穴にて固定させる。
人形１０２を垂直方向の面を有する壁面等に容易に固定することが可能になる。
また、基台を可撓性樹脂で形成し、周縁にタブ５０４を設けることで、被吸着対象から容易に剥離させることも可能である。
【００２９】
以上、本発明の実施形態について説明したが、本発明は上記実施形態に限定されるものではなく、特許請求の範囲に記載した本発明の要旨を逸脱しない限りにおいて、他の変形例、応用例を含む。
【符号の説明】
【００３０】
１０１…人形組立体、１０２…人形、１０３…支持台、１０４…第一嵌合穴、１０５…第二嵌合穴、５０１…平面部、５０２…突起、５０３…吸着シート、５０４…タブ、６０１…粘着剤、７０１…支持台、７０２…タブ
【図１】
2020130914.tif 000003
【図２】
2020130914.tif 000004
【図３】
2020130914.tif 000005
【図４】
2020130914.tif 000006
【図５】
2020130914.tif 000007
【図６】
2020130914.tif 000008
【図７】
2020130914.tif 000009